(57)【要約】【課題】電装箱の高さを低く構成することができ、かつ、定速用配線と可変速用配線とのノイズの影響を小さくすることのできる室外ユニットを提供する。【解決手段】定速の圧縮機１８Ｂと、インバータで制御される可変速の圧縮機１８Ａとを有する本体部を備え、この本体部に電装箱１１が取り付けられ、この電装箱１１と定速の圧縮機１８Ｂとを接続する定速用配線１１１、及び電装箱１１と可変速の圧縮機１８Ａとを接続する可変速用配線１１０を備え、電装箱１１は、メンテナンス用の開口部５７を備えると共に、この開口部５７から電装箱１１の内部を見て、電装箱１１の内部空間を手前側の空間１００と裏側の空間１０１とに画成する仕切り板５６を備え、定速用配線１１１及び可変速用配線１１０がそれぞれ異なる空間を通るように配線されている。【選択図】図５
2008020133.tif 000002
【特許請求の範囲】
【請求項１】
定速の圧縮機と、インバータで制御される可変速の圧縮機とを有する本体部を備え、この本体部に電装箱が取り付けられ、この電装箱と前記定速の圧縮機とを接続する定速用配線、及び前記電装箱と可変速の圧縮機とを接続する可変速用配線を備えた室外ユニットにおいて、
前記電装箱は、メンテナンス用の開口部を備えると共に、この開口部から電装箱の内部を見て前記電装箱の内部空間を手前側の空間と裏側の空間とに画成する仕切り板を備え、前記定速用配線及び前記可変速用配線がそれぞれ異なる空間を通るように配線されていることを特徴とする室外ユニット。
【請求項２】
前記可変速用配線が前記手前側の空間を通るように配線されていることを特徴とする請求項１に記載の室外ユニット。
【請求項３】
前記定速用配線側の空間に、パワーリレーを配置したことを特徴とする請求項１または請求項２に記載の室外ユニット。
【請求項４】
前記可変速用配線側の空間に、電源ノイズを除去するフィルタ基板及び室外ユニットの各機器を制御するコントロール基板のうちの少なくとも１つを配置したことを特徴とする請求項１から請求項３のいずれか１つに記載の室外ユニット。
【請求項５】
前記フィルタ基板及び前記コントロール基板のうち少なくとも１つを前記仕切り板に取り付けたことを特徴とする請求項１から請求項４のいずれか１つに記載の室外ユニット。
【発明の詳細な説明】
【技術分野】
【０００１】
本発明は、定速の圧縮機及び可変速の圧縮機に電装箱から電源が供給される室外ユニットに関する。
【背景技術】
【０００２】
一般に、ビル等の天井裏の密閉した空間に吊り金具を介して室外ユニットを吊り下げ、この室外ユニットと、各室内に配置した室内ユニットとを冷媒配管で接続した空気調和装置が知られている。この種のものでは、室外ユニットを密閉空間に設置するため、室外熱交換器には空冷式でなく、水冷式を採用するのが一般的である。室外ユニットを天井裏に配置した場合、当該室外ユニットを室内ユニットの近くに配置でき、冷媒配管長を短く設計できる利点がある。
【０００３】
また、水冷式の横置き型室外ユニットは、架台等を用いて縦方向に積み上げることにより、設置スペースを小さくすることができるという利点がある。そのため、室外ユニットの高さをできるだけ低くして、より多くの室外ユニットを積み上げられるようにしている。
【０００４】
一方、この室外ユニットの本体部の内部には、冷媒を圧縮するための定速の圧縮機と可変速の圧縮機とが設けられており、それぞれの圧縮機は、電源線を介して電装箱に接続されている。この可変速の圧縮機は、インバータ制御によって冷媒を圧縮する能力が制御されている。また、電装箱の内部には、制御基板や電装部品等が平置きにして設置されている（例えば、特許文献１参照）。
【特許文献１】特開平８−３５６８８号公報
【発明の開示】
【発明が解決しようとする課題】
【０００５】
この室外ユニットを低くするためには、室外ユニット内に設置された各機器の高さを低くすることが好ましい。しかしながら、部品を平置きにしている従来の電装箱の構造では、この電装箱を低く構成することが困難であった。
また、電装箱を低く（小さく）すると、内部空間が減少することになる。この場合、電装箱と定速の圧縮機とを接続する定速用配線、及び電装箱と可変速の圧縮機とを接続する可変速用配線との距離が接近して、定速用配線から生じるノイズが可変速用配線に影響してしまうおそれがある。
【０００６】
本発明は、上述した事情に鑑みてなされたものであり、電装箱の高さを低く構成することができ、かつ、定速用配線と可変速用配線とのノイズの影響を小さくすることのできる室外ユニットを提供することを目的とする。
【課題を解決するための手段】
【０００７】
本発明に係る室外ユニットでは、定速の圧縮機と、インバータで制御される可変速の圧縮機とを有する本体部を備え、この本体部に電装箱が取り付けられ、この電装箱と前記定速の圧縮機とを接続する定速用配線、及び前記電装箱と可変速の圧縮機とを接続する可変速用配線を備えた室外ユニットにおいて、前記電装箱は、メンテナンス用の開口部を備えると共に、この開口部から電装箱の内部を見て前記電装箱の内部空間を手前側の空間と裏側の空間とに画成する仕切り板を備え、前記定速用配線及び前記可変速用配線がそれぞれ異なる空間を通るように配線されていることを特徴とする。
この構成によれば、仕切り板によって内部空間を画成することができ、部品を階層的に設置することができる。また、定速用配線及び可変速用配線がそれぞれ異なる空間を通るように配線し、ノイズの影響を受け難くすることがでる。
【０００８】
また、前記可変速用配線が前記手前側の空間を通るように配線してもよい。
この構成によれば、ノイズの影響を受け易い可変速用配線側を容易にメンテナンスすることができる。
【０００９】
さらに、前記定速用配線側の空間に、パワーリレーを配置してもよい。
この構成によれば、定速用配線の切り替えによって生じるノイズを、可変速用配線に影響させないようにすることができる。
【００１０】
また、前記可変速用配線側の空間に、電源ノイズを除去するフィルタ基板及び室外ユニットの各機器を制御するコントロール基板のうちの少なくとも１つを配置することもできる。
この構成によれば、ノイズの影響を受け易い部品を、可変速用配線側に取り付けることができる。
【００１１】
さらにまた、前記フィルタ基板及び前記コントロール基板のうち少なくとも１つを前記仕切り板に取り付けることもできる。
この構成によれば、フィルタ基板及びコントロール基板を階層的に電装箱内に設置することができる。
【発明の効果】
【００１２】
本発明によれば、電装箱にメンテナンス用の開口部を備えると共に、この開口部から電装箱の内部を見て手前側の空間と裏側の空間とに画成する仕切り板を備えているので、仕切り板によって内部空間を画成することができ、部品を階層的に設置することができる。その結果、部品を平置きする場合と比べて、電装箱を低く構成することができる。また、定速用配線及び可変速用配線がそれぞれ異なる空間を通るように配線しているので、配線間の距離が実質的に近くなったとしても、配線間に仕切り板が介在することにより、可変速用配線に対するノイズの影響を小さくすることがでる。
【発明を実施するための最良の形態】
【００１３】
以下、本発明の実施の形態に係る室外ユニットについて、図面を参照しながら説明する。図１は、本発明の実施の形態に係る室外ユニットを斜め上方から見た状態の概要図である。なお、以下の説明で使用する、前後、上下、左右の方向は、図１における前面板７側から見た方向をいうものとする。
【００１４】
室外ユニット１は、図１に示すように、前後方向に長手方向を有する略角柱形状をなしており、室外ユニット１の外側部分（本体部）を、上面板２、底面板３，左右の側板４，５、後面板６、および前面板７とで構成している。この前面板７は、メンテナンス時などに取り外し可能なように、ねじなどの締結部材で取り付けられている。また、この室外ユニット１は、屋外で雨水に曝される環境で使用されるため、各板の組み合わされる部分が水密構造となるように組み付けられている。
【００１５】
前面板７が取り付けられる面の右側部分には、図１に示すように、後面板６側に向かって凹んでおり前面板７の面と略平行な２つの段差面１２、１３が形成されている。この段差面１２、１３は、室外ユニット１の上下方向に亘ってそれぞれ延在しており、この２つの段差面１２、１３のうちの奥側の段差面１３からは、各種配管が室外ユニット１の内部から外側に向かって突出している。この配管は、詳細には、水熱源用の冷却水を取り込むための給水用配管１４ａ及び冷却水の排水用配管１４ｂ、冷媒管としての高圧ガス管１５ａ、低圧ガス管１５ｂ、液管１５ｃ及びオイル管１５ｄである。
また、排水用配管１４ｂの左側には、締結部材によって着脱可能に取り付けられた蓋部１６を備えている。
【００１６】
図２は、図１の状態から、上面板２、右側の側板４、前面板７、および蓋部１６を省略して示す斜視図である。
室外ユニット１の内部には、前面板７の後側に配置された電装箱１１と、この電装箱の後側に配置された２つの圧縮機１８ａ、１８ｂと、電磁式の四方弁１９（図３参照）、水冷式室外熱交換器２１、アキュムレータ２２、油分離器２３、室外膨張弁２４よりも高所に取り付けられる各種電磁弁、レシーバタンク２５（図３参照）などが配置されている。これらは、冷媒管によって接続されて、冷媒回路を構成している。また、室外ユニット１の前面板７を取り外すと、電装箱１１の内部に取り付けられた基板８、端子台９、継電器１０などが室外ユニット１の外側からメンテナンスできるようになっている。
【００１７】
水冷式室外熱交換器２１には、それぞれ冷却水循環管路３５が設けられている。この冷却水循環管路３５の一部は、冷媒管の外側を水が流れる二重構造の管で構成されると共に、４つの管路３５ａ〜３５ｄ（多パス構造）で構成されており、４つの領域で冷媒との熱交換が可能になっている。冷媒管の外側を流れる水は、上述したように、給水用配管１４ａから流入し、排水用配管１４ｂから流出する。
【００１８】
図３は、室外ユニット１を適用した空気調和装置の冷媒回路図である。
この空気調和装置３１は、複数台（２台）の室外ユニット１Ａ、１Ｂと、複数台（２台）の室内ユニット３０Ａ、３０Ｂとを備えている。この空気調和装置３１では、室外ユニット１Ａ、１Ｂと室内ユニット３０Ａ、３０Ｂとを接続する冷媒配管８１が、上述した高圧ガス管１５ａ、低圧ガス管１５ｂ、液管１５ｃとから構成され、室内ユニット３０Ａ、３０Ｂを同時に冷房運転若しくは暖房運転可能とし、または、これらの冷房運転（ドライ運転を含む）と暖房運転とを混在して実施可能としている。
【００１９】
室内ユニット３０Ａは、室内熱交換器（利用側熱交換器）４０と膨張弁（減圧装置）４１とを備えて構成され、この室内熱交換器４０の一端は、膨張弁７４を介して液管１５ｃに配管接続されている。また、室内熱交換器４０の他端には、分岐管４２が接続され、この分岐管４２は、高圧ガス分岐管４２Ａと低圧ガス分岐管４、１Ｂとに分岐し、一方の高圧ガス分岐管４２Ａは第１開閉弁（例えば、電磁弁）４３を介して高圧ガス管１５ａに接続され、他方の低圧ガス分岐管４、１Ｂは第２開閉弁（例えば、電磁弁）４４を介して低圧ガス管１５ｂに接続されている。また、室内ユニット３０Ａには、室外熱交換器２１の出入口温度や室温を検出する温度センサ等が配置される他、これらセンサの検出結果を入力してこの室内ユニット３０Ａの制御を行う室内制御装置（図示せず）を備えている。
室内ユニット３０Ｂは、室内ユニット３０Ａと略同一の構成であるため、同一の部分に同一の符号を付して示し、重複する説明は省略する
【００２０】
室外ユニット１Ａは、能力可変型の圧縮機（ＤＣインバータ圧縮機）１８Ａと、能力一定型の圧縮機（ＡＣ圧縮機）１８Ｂと、オイルセパレータ２３と、水冷式の室外熱交換器（熱源側熱交換器）２１と、膨張弁２４と、レシーバタンク２５等から概略構成されている。以下、各圧縮機１８Ａ、１８Ｂを特に区別する必要がない場合は、圧縮機１８と表記する。
【００２１】
各圧縮機１８は、並列接続され、各圧縮機１８の吸込口に共通接続された吸込管７１が、アキュムレータ２２を介して低圧ガス管１５ｂに接続される。また、各圧縮機１８の吐出口に接続された吐出管７２は、オイルセパレータ２３を経て延出し、２つに分岐し、一方の冷媒吐出分岐管７２Ａが高圧ガス管１５ａに接続され、他方の冷媒吐出分岐管７２Ｂが室外熱交換器２１に接続されている。
【００２２】
ここで、上記冷媒吐出分岐管７２Ｂには、切換弁７３が設けられ、この切換弁７３が開くと、圧縮機１８の吐出冷媒が、室外熱交換器２１に供給される。
上記切換弁７３と室外熱交換器２１の間には、一つのポートＡが塞がれた、四方弁７４が設けられ、この四方弁７４は、室外熱交換器２１の一端と、切換弁７３につながる管路３１Ｂとを連通し、或いは、室外熱交換器２１の一端と、圧縮機１８の吸込管７１につながる管路７５とを連通する。
【００２３】
室外熱交換器２１の他端は、室外熱交換器２１に供給する冷媒流量を調整するための膨張弁２４、レシーバタンク２５、及び補助冷却回路７６を介して液管１５ｃと配管接続されている。補助冷却回路７６は、レシーバタンク２５と液管１５ｃとを接続する冷媒配管７７を流れる液冷媒を補助冷却するものであり、より具体的には、レシーバタンク２５と液管１５ｃとの間の液冷媒が通る配管７７の一部と、この配管７７から分岐して膨張弁７８を通過した冷媒が通る分岐管７９の一部とを２重管で構成した、２重管式熱交換器である。膨張弁７８を通過した冷媒が通る分岐管７９は、補助冷却回路７６に接続された冷媒配管８０を介して圧縮機１８の吸込管７１とつながり、この分岐管７９、８０を通過した冷媒は圧縮機１８の吸込口に戻される。
【００２４】
オイルセパレータ２３には、オイルセパレータ２３に溜められたオイルを圧縮機１８の冷媒吸込管に戻すための冷媒戻し管８１が接続され、例えばオイルセパレータ２３に溜められたオイル量が所定量以上の場合に、余剰のオイル量が冷媒戻し管８１を介して圧縮機１８の冷媒吸込管に戻される。冷媒戻し管８１には、キャピラリーチューブ３６が設けられ、さらに、冷媒戻し管８１と後述するオイルバランス管８２とを接続するオイル分岐管８１Ａが設けられ、オイル分岐管８１Ａには切換弁８４が配設されている。
【００２５】
オイルセパレータ２３には、オイルセパレータ２３と他の室外ユニット１Ｂが有する冷媒戻し管８１とを接続するためのオイルバランス管８２が接続される。オイルバランス管８２には、キャピラリーチューブ３７、バランス弁８５および逆止弁８６が直列に接続され、その先端は、室外ユニット１Ａと室外ユニット１Ｂとの間でオイル量のバランスを保つためのオイル管１５ｄに接続される。
【００２６】
室外ユニット１Ａは、室外熱交換器２１の出入口温度を検出する温度センサＳＯ１、ＳＯ２、圧縮機１８の吸込圧を検出する圧力センサＳＡ１及び圧縮機１８の吐出圧を検出する圧力センサＳＢ２、ＳＢ３等の各種センサ、複数の逆止弁、各種センサの検出結果を入力して室外ユニット１Ａ全体を制御する室外制御装置１００等を備える。
室外制御装置１００は、圧縮機１８Ａ、圧縮機１８Ｂに各々配設され、各圧縮機におけるオイル量を検知するオイルセンサ（図示略）に接続され、これらオイルセンサにより検知されたオイル量に従って、バランス弁８５、バイパス弁および切換弁８４の開閉を制御する。なお、室外ユニット１Ｂは、室外ユニット１Ａと同一の構成であるため、同一の部分には同一の符号を付して示し、重複する説明は省略する。
【００２７】
各室外ユニット１Ａ、１Ｂの室外制御装置１００は、図示しない制御配線により相互に通信可能に接続されている。そして、空気調和装置３１の動作時には、各室外ユニット１Ａ、１Ｂのいずれか１つが親機として機能し、親機の室外制御装置１００は、図示を省略したリモートコントローラを介して入力したユーザ指示に基づいて、他の室外制御装置１００や室内制御装置と通信し、この空気調和装置３１全体の運転制御を行う。
【００２８】
全ての室内ユニット３０Ａ、３０Ｂを同時に冷房運転する場合、各室外ユニット１Ａ、１Ｂでは、切換弁７３が開くと共に四方弁７４が切換制御され、また、各室内ユニット３０Ａ、３０Ｂでは第１開閉弁４３が閉じ、第２開閉弁４４が開く。この場合、圧縮機１８の吐出冷媒が、オイルセパレータ２３を介して室外熱交換器２１に供給され、ここで放熱・凝縮して液冷媒となり、レシーバタンク２５及び補助冷却回路７６を経て液管１５ｃに供給される。そして、室内ユニット３０Ａ、３０Ｂにおいては、液管１５ｃを介して液冷媒が膨張弁４１を介して室内熱交換器４０に供給され、ここで吸熱・蒸発し、低温低圧のガス冷媒となり、第２開閉弁４４を介して低圧ガス管１５ｂに供給される。
この低圧ガス管１５ｂに供給されたガス冷媒は、室外ユニット１Ａ、１Ｂの吸込管７１を介して圧縮機１８で再び圧縮される。これによって、全ての室内ユニット３０Ａ、３０Ｂで同時に冷房運転が可能になる。
【００２９】
一方、全ての室内ユニット３０Ａ、３０Ｂを同時に暖房運転する場合、各室外ユニット１Ａ、１Ｂでは、切換弁７３が閉じると共に四方弁７４が切換制御され、各室内ユニット３０Ａ、３０Ｂでは第１開閉弁４３が開き、第２開閉弁４４が閉じる。この場合、圧縮機１８が吐出した高温高圧のガス冷媒が、オイルセパレータ２３を介して高圧ガス管１５ａに供給される。そして、室内ユニット３０Ａ、３０Ｂにおいては、高圧ガス管１５ａを介してガス冷媒が室内熱交換器４０に供給され、ここで、放熱・凝縮して液冷媒となった後、膨張弁４１を介して液管１５ｃに供給される。この液管１５ｃに供給された液冷媒は、室外ユニット１Ａ、１Ｂの冷媒配管７７及びレシーバタンク２５を介して室外熱交換器２１に供給され、ここで、吸熱・蒸発し、ここで低温低圧のガス冷媒となり、吸込管７１を介して圧縮機１８で再び圧縮される。これによって、全ての室内ユニット３０Ａ、３０Ｂで同時に暖房運転が可能になる。
【００３０】
また、暖房運転と冷房運転の混在運転を行う場合、例えば、室内ユニット３０Ａを暖房運転し、室内ユニット３０Ｂを冷房運転する場合、室外ユニット１Ａ、１Ｂが上記同時暖房運転の場合と同様に制御される一方、室内ユニット３０Ａにおいては、第１開閉弁４３が閉じ、第２開閉弁４４が開き、室内ユニット３０Ｂにおいては、第１開閉弁４３が開き、第２開閉弁１５が閉じる。この場合、各室外ユニット１Ａ、１Ｂから高温高圧のガス冷媒が高圧ガス管１５ａに供給され、室内ユニット３０Ａにおいては、高圧ガス管１５ａを介してガス冷媒が室内熱交換器４０に供給され、ここで放熱・凝縮して液冷媒となった後、膨張弁４１を介して液管１５ｃに供給される。この液管１５ｃに供給された液冷媒の一部は室外ユニット１Ａ、１Ｂへ戻り、室外熱交換器２１で吸熱・蒸発し、低温低圧のガス冷媒となる。
【００３１】
一方、液管１５ｃに供給された液冷媒の残りは、室内ユニット３０Ｂの室内熱交換器４０に供給され、ここで吸熱・蒸発し、低温低圧のガス冷媒となった後、第２開閉弁４４を介して低圧ガス管１５ｂに供給される。
そして、低圧ガス管１５ｂに供給された冷媒は、室外熱交換器２１を経た上記ガス冷媒と共に、吸込管７１を介して圧縮機１８で再び圧縮される。これによって、室内ユニット３０Ａ、３０Ｂ毎に暖房運転と冷房運転とが可能になる。
【００３２】
空気調和装置３１の室外ユニット１Ａ、１Ｂ間でオイルを供給する場合、オイルを供給する側の室外ユニットにおいては、オイルバランス管８２から圧縮機１８にオイルが戻らないよう、室外制御装置１００の制御により開閉弁８４が閉鎖される。ここで、室外制御装置１００の制御によってオイルバランス管８２のバランス弁８５が開放されて、オイルセパレータ２３からオイルバランス管８２にオイルが流入する。さらに、室外制御装置１００の制御によりバイパス弁４３が開放され、冷媒吐出分岐管７２Ａから冷媒吐出分岐管３１Ｃを介して、オイルバランス管８２に高圧の冷媒が流入する。この高圧の冷媒は、オイルバランス管８２のオイルを押し流しながらオイル管１５ｄへ流出し、オイルの供給を受ける側の室外ユニットに達する。
【００３３】
オイルの供給を受ける側の室外ユニットにおいては、室外制御装置１００の制御により開閉弁８４が開放され、オイルバランス管８２から圧縮機１８の吸込口にオイルを流す管路が確保される。ここで、オイルを供給する側の室外ユニットから、オイルと高圧の冷媒とがオイル管１５ｄを介してオイルバランス管８２に流入すると、流入したオイルおよび冷媒は逆止弁８６により止められて分岐管８１Ａ側に流れ、分岐管８１Ａから冷媒戻し管８１を介して圧縮機１８の吸込口に達する。
【００３４】
室外ユニット１Ａ、１Ｂは、例えばビル等の天井裏の密閉した空間に吊り金具を介して吊り下げられている。この室外ユニットを密閉空間に設置した場合、室外熱交換器２１には空冷式が適さず、上述したように、水冷式が一般的に採用されている。室外ユニットを天井裏に配置した場合、当該室外ユニットを屋上等に配置する場合に比べ、室内ユニットの近くに配置でき、冷媒配管長を短く設計できる。
【００３５】
図４は、図２に示す電装箱を単体で示す斜視図である。電装箱１１の外形は、図２および図３に示すように、基板５１が取り付けられる基板取付板５２、上面板５３、左側の側板５４、右側の側板５５で構成されており、下側および正面側は開放面となっている。特に、正面側の開口部５７は、作業者が室外ユニット１の前面板７を取り外したときに、電装箱１１のメンテナンス用の開口として利用されることになる。
【００３６】
基板取付板５２は、図３に示すように、右側部分が前方に向けて傾斜する傾斜部を有しており、この傾斜部によって圧縮機１８ｂ（図２参照）との干渉を避けるようになっている。また、基板取付板５２は、図３に示すように、傾斜部を除く左上側の面が、正面側に向けて１段高くなるように形成されている。
【００３７】
一方、電装箱１１の内部には、図３に示すように、電装箱１１の下側から見て略Ｌ字形状に形成された取付プレート（仕切り板）５６が取り付けられている。この取付プレート５６は、基板を取り付けるための取付面５６ａが形成されており、この取付面５６ａが基板取付板５２と略平行に配置され、Ｌ字形状の一端部が基板取付板５２に締結部材で取り付けられ、Ｌ字形状の他端部が右側の側板５５の近くで取り付けられている。これにより、開口部５７から電装箱１１の内部を見たときに、取付プレート５６がこの電装箱の内部を手前側の空間１００と裏側の空間１０１とに画成している。なお、この取付プレート５６は、鋼板製のものであってもよく、電磁的なノイズを遮断することのできる材料を用いて製作されている。また、表面に、コーティング等によってノイズを遮断するようになっていてもよい。
【００３８】
また、図４において、取付プレート５６の裏側（裏側の空間１０１）に位置する基板取付板５２には、ねじ５９によってパワーリレー５８が取り付けられている。このパワーリレー５８には、後述する定速用配線１１１ｂ（図５参照）が接続されることになる。
また、基板取付板５２の上側（上面板５３側）の部分であって、取付プレート５６よりも上側の部分には、基板取付板５２の面よりも開口部５７側に向けて１段高く形成された高台部６０が形成されている。
【００３９】
図５は、電装箱１１の開口部５７から電装箱１１の内部を見た状態を示す概要図である。
基板取付板５２には、図５の左下側に位置する、端子台１０２、この端子台１０２の左側に位置するブレーカー１０３が設けられている。端子台１０２には、室外ユニット１の外部から、図示しない電源線が接続され、電源が供給されている。
また、電装箱１１の内部には、取付プレート５６に取り付けられ、手前側の空間１００に、電源ノイズを除去するフィルタ基板１２０と、高台部６０に取り付けられたブリッジダイオード１２１及びＨＩＣ基板１２２と、室外ユニット１の各機器を制御するコントロール基板１２３とが配置されている。
【００４０】
次に配線について説明すると、端子台１０２からは、可変速の圧縮機１８Ａまで延びる可変速用配線１１０と、定速の圧縮機１８Ａまで延びる定速用配線１１１とが分岐している。この可変速用配線１１０は、インバータ等で制御されるので、誤動作等を防止するために、電磁的なノイズを避ける必要がある。一方、定速用配線１１１は、ノイズによる影響は少ない。以下、この端子台１０２から分岐した配線であって、可変速用配線１１０として導通している配線を、符号１１０ａ、１１０ｂ、・・・で示し、定速用配線１１１として導通している配線を、符号１１１ａ、１１１ｂ、・・・で示す。
【００４１】
可変速用配線１１０は、端子台１０２から分岐した可変速用配線１１０ａがフィルタ基板１２０に接続され、このフィルタ基板１２０から延びる可変速用配線１１０ｂがブリッジダイオード１２１、ＨＩＣ基板１２２に接続され、ＨＩＣ基板１２２から延びる可変速用配線（図示せず）が電装箱１１の外部へ出て、可変の圧縮機１８Ａに接続される。上述の通り、可変速用配線１１０は、裏側の空間１０１と仕切られた手前側の空間１００のみを通過するように引き回されて、電装箱１１の外部へ出ることになる。
【００４２】
一方、定速用配線１１１は、端子台１０２から分岐した定速用配線１１１ａがブレーカー１０３に接続され、このブレーカー１０３から裏側の空間１０１にあるパワーリレー５８に接続され、このパワーリレー５８から延びる定速用配線（図示せず）が電装箱１１の外部へ出て、定速の圧縮機１８Ｂに接続される。上述の通り、定速用配線１１１は、手前側の空間１００と仕切られた裏側の空間１０１のみを通過するように引き回されて、電装箱１１の外部へ出ることになる。
【００４３】
本発明の実施の形態に係る室外ユニットによれば、電装箱１１は、メンテナンス用の開口部５７を備えると共に、この開口部５７から電装箱１１の内部を見て手前側の空間１００と裏側の空間１０１とに画成する取付プレート５６を備えているので、取付プレート５６によって内部空間を画成することができ、部品を階層的に設置することができる。その結果、部品を平置きする場合と比べて、電装箱１１を低く構成することができる。
【００４４】
また、定速用配線１１１が裏側の空間１０１を通り、可変速用配線１１０が手前側の空間１００を通るようにそれぞれ配線されているので、配線間の距離が実質的に近くなったとしても、配線間に取付プレート５６が介在することにより、可変速用配線１１０に対するノイズの影響を小さくすることがでる。
【００４５】
また、可変速用配線１１０が手前側の空間１００を通るように配線されているので、メンテナンス等で作業が必要な可変速用配線１１０側を電装箱１１の手前側に配置することができる。
さらに、定速用配線側の空間に、パワーリレーを配置しているので、電装箱１１内の部品を階層構造にして取り付けることができる。
【００４６】
さらにまた、手前側の空間１００に、電源ノイズを除去するフィルタ基板１２０及び室外ユニットの各機器を制御するコントロール基板１２３を配置しているので、これらのフィルタ基板１２０及びコントロール基板１２３が定速用配線１１１によってノイズを受けることがない。
また、フィルタ基板１２０及びコントロール基板１２３を取付プレート５６に取り付けているので、フィルタ基板１２０及びコントロール基板１２３を電装箱１１内に階層構造に容易に取り付けることができる。
【図面の簡単な説明】
【００４７】
【図１】本発明の実施の形態に係る室外ユニットの斜視図である。
【図２】図１の室外ユニットから上面板、右側の側板、前面板および蓋部を省略して示す斜視図である。
【図３】本発明の実施の形態に係る室外ユニットを備えてなる空気調和装置の冷媒回路図である。
【図４】図２に示す電装箱を単体で示す斜視図である。
【図５】電装箱の開口部から電装箱の内部を見た状態を示す概要図である。
【符号の説明】
【００４８】
１  室外ユニット
７  前面板
１１  電装箱
１８Ａ  可変速の圧縮機
１８Ｂ  定速の圧縮機
３５  冷却水循環管路
５６  取付プレート（仕切り板）
５６ａ  取付面
５７  開口部
１００  手前側の空間
１０１  裏側の空間
１０２  端子台
１０３  ブレーカー
１１０  可変速用配線
１１１  定速用配線
１２０  フィルタ基板
１２３  コントロール基板
【図１】
2008020133.tif 000003
【図２】
2008020133.tif 000004
【図３】
2008020133.tif 000005
【図４】
2008020133.tif 000006
【図５】
2008020133.tif 000007